(57)【要約】【課題】グリップボトルを持ったときの安定感を向上させて、持ち易いグリップボトルを提供する。【解決手段】収容空間を形成する胴部４に内方へ窪む第１、第２の胴凹部２０、２０が形成されており、これら２つの胴凹部２０、２０の一部と当該両胴凹部２０、２０間で外方へ張り出す張出部２１とでグリップ２２が構成されているグリップボトル１である。グリップを、平断面において胴部４の半体域５０内で構成し、両胴凹部２０、２０の容器軸芯ｘ２側へ最接近した接近部５１を、当該半体域５０内に存在させ、容器軸芯ｘ２を中心とし、かつ接近部５１に外接する仮想円Ｐ２の直径Ｄ１を、胴部４の直径Ｄ２の２０％〜５０％とすることで、グリップボトル１を持ったときのバランス感を向上させる。【選択図】図６
2014019466.tif 000002
【特許請求の範囲】
【請求項１】
略円筒状の容器本体に内方へ窪む第１、第２の胴凹部が形成されており、これら２つの胴凹部の一部と当該両胴凹部間で外方へ張り出す張出部分とでグリップが構成されているグリップボトルにおいて、
前記グリップは、平断面において前記容器本体の半体域内で構成されていると共に、前記第１、第２の胴凹部の容器軸芯側へ最接近した接近部が、当該半体域内に存在しており、
容器軸芯を中心とし、かつ前記両胴凹部の接近部に外接する仮想円の直径が、前記容器本体の直径の２０％〜５０％であることを特徴とするグリップボトル。
【請求項２】
前記グリップの平断面における、前記第１の胴凹部側頂部から前記第２の胴凹部側頂部間のグリップ幅をＴとし、当該第１の胴凹部の底部から当該第２の胴凹部の底部間の寸法をｄとするときに次式を満たしていることを特徴とする請求項１に記載のグリップボトル。
（ｄ／Ｔ）＝０．０１〜０．５０
【請求項３】
前記底部間の寸法ｄが１mm〜４０mmであることを特徴とする請求項２に記載のグリップボトル。
【請求項４】
前記グリップ幅Ｔが４０mm〜８０mmであることを特徴とする請求項２又は３に記載のグリップボトル。
【請求項５】
前記グリップにおけるグリップ周りの平断面周長が１００mm〜１９０mmであることを特徴とする請求項１〜４のいずれかに記載のグリップボトル。
【発明の詳細な説明】
【技術分野】
【０００１】
本発明は、飲料物や酒、醤油などを入れるボトルに関し、容器本体に内方へ窪む２つの胴凹部を形成することでグリップが構成されているグリップボトルに関する。
【背景技術】
【０００２】
内容物が充填された大容量のボトルでは、重量が大きくなることに加え、容器寸法も大型となるため、片手で持ち易いようなグリップ機能が付加されたものが普及している。容器本体に、別体の取手部材を取り付けたグリップボトルがあるが、このようなボトルは、取手部材の分だけ樹脂量が増加することや、取手部材を取り付けるための工程を要することなどから、製造コストが増大する。これを解決するものとして、収容空間を形成する容器本体に内方へ窪む２つの胴凹部が形成され、これら２つの胴凹部の一部と当該両胴凹部間で外方へ張り出す張出部とでグリップが構成されたグリップボトルが知られている。
【０００３】
このグリップボトルは、取手を取り付ける工程が不要であり、成形がし易いため、製造コストの上昇を抑えることが可能である。かかるグリップボトルでは、容器本体に形成された２つの胴凹部間に指先を入れ、両胴凹部間で形成された張出部を包み込むように握ることで、容易に持つことができるといった点が好まれている。
【０００４】
例えば、特許文献１には、円筒状の容器本体の内方へ窪む第１、第２の胴凹部の一部と当該両胴凹部間で外方へ張り出す張出部分とでグリップを構成したグリップボトルが記載されている。このグリップボトルでは、両胴凹部の底部間の寸法を胴部の５０％以下とすることや、両胴凹部の断面形状を左右対称にすることによって、持ち易く、成形し易くできるものとされている
【先行技術文献】
【特許文献】
【０００５】
【特許文献１】特許３９５１５９４号公報
【発明の概要】
【発明が解決しようとする課題】
【０００６】
特許文献１のグリップボトルでは、両胴凹部の底部間の寸法を胴部の５０％以下と規定しているが、たとえ両胴凹部の底部間が近い場合であっても、当該両胴凹部が胴部側へ入り込み過ぎれば、平断面における収容面積が小さくなって高さを大きくする必要が生じ、当該両胴凹部が胴部側から離れ過ぎれば、力をかけ難くなる。そのため、グリップボトルを持ったときの安定感が損なわれて、持ち難くなってしまうといった欠点がある。
【０００７】
そこで本発明は、上記従来技術の問題点に鑑み、グリップボトルを持ったときの安定感を向上させて、持ち易いグリップボトルを提供することを目的とする。
【課題を解決するための手段】
【０００８】
上記目的を達成するため、次の技術的手段を講じた。
即ち本発明は、略円筒状の容器本体に内方へ窪む第１、第２の胴凹部が形成されており、これら２つの胴凹部の一部と当該両胴凹部間で外方へ張り出す張出部分とでグリップが構成されているグリップボトルにおいて、前記グリップは、平断面において前記容器本体の半体域内で構成されていると共に、前記第１、第２の胴凹部の容器軸芯側へ最接近した接近部が、当該半体域内に存在しており、容器軸芯を中心とし、かつ前記両胴凹部の接近部に外接する仮想円の直径が、前記容器本体の直径の２０％〜５０％であることを特徴とする。
【０００９】
上記本発明によれば、グリップが、平断面において前記容器本体の半体域内で構成されていると共に、第１、第２の胴凹部の容器軸芯側へ最接近した接近部が、当該半体域内に存在しており、容器軸芯を中心とし、かつ両胴凹部の接近部に外接する仮想円の直径が、容器本体の直径の２０％〜５０％であるため、両胴凹部が容器本体側へ入り込み過ぎることがなく、当該両胴凹部が容器本体側から離れ過ぎることもない。従って、平断面における収容面積が小さくならないので高さを大きくする必要はなく、また、グリップボトルを持ったときに力をかけ易い。これにより、グリップボトルを持ったときの安定感が向上し、持ち易くすることができる。
【００１０】
前記グリップの平断面における、前記第１の胴凹部側頂部から前記第２の胴凹部側頂部間のグリップ幅をＴとし、当該第１の胴凹部の底部から当該第２の胴凹部の底部間の寸法をｄとするときに次式を満たしていることが好ましい。
（ｄ／Ｔ）＝０．０１〜０．５０
【００１１】
グリップ幅Ｔと２つの胴凹部の底部間寸法ｄとが上記の式を満たしていれば、グリップ幅に対する２つの胴凹部の深度が調整され、当該両胴凹部が深く入り込むことになる。これにより、グリップボトルを持つときの握り易さがさらに良好なものとなり、指に過大な負担がかからず、より安定した状態で持つことができる。
【００１２】
前記底部間の寸法ｄが１mm〜４０mmであることが好ましい。底部間の寸法ｄをこのような範囲とすれば、握ったときに第１指の指先と第２指の指先が近づくことになって、グリップを握り易くなる。
【００１３】
前記グリップ幅Ｔを４０mm〜８０mmとしてもよい。グリップ幅Ｔを４０mm〜８０mmの範囲とすれば、グリップを握った際に、第１、第２の胴凹部へ指を確実に回し込むことができ、力をかけ易くすることができる。
【００１４】
前記グリップにおけるグリップ周りの平断面周長を１００mm〜１９０mmとしてもよい。この場合、グリップが、第１指の末節から第２指の末節、第１指の末節から第３指の末節などに渡る握り寸法に沿ったものとなる。従って、グリップボトルを持つときの握り易さが非常に良好なものとなり、指に過大な負担がかかることもなく、安定した状態で持つことができる。
【発明の効果】
【００１５】
上記の通り、本発明によれば、平断面における収容面積が小さくならないので高さを大きくする必要はなく、また、グリップボトルを持ったときに力をかけ易い。そのため、グリップボトルを持ったときの安定感が向上し、持ち易くすることができる。
【図面の簡単な説明】
【００１６】
【図１】本発明の第１実施形態に係るグリップボトルの背面図である。
【図２】第１実施形態に係るグリップボトルの側面図である。
【図３】第１実施形態に係るグリップボトルの正面図である。
【図４】第１実施形態に係るグリップボトルのコンピュータグラフィックで表した側面図、背面図及び斜視図である。
【図５】第１実施形態に係るグリップボトルの図２Ａ−Ａ線断面図である。
【図６】第１実施形態に係るグリップボトルの図３Ｂ−Ｂ線断面図である。
【図７】本発明の第２実施形態に係るグリップボトルのコンピュータグラフィックで表した側面図、背面図及び斜視図である。
【図８】第２実施形態に係るグリップボトルの断面図である。
【図９】本発明の第３実施形態に係るグリップボトルのコンピュータグラフィックで表した側面図、背面図及び斜視図である。
【図１０】第３実施形態に係るグリップボトルの上部断面図である。
【図１１】第３実施形態に係るグリップボトルの下部断面図である。
【図１２】本発明の第４実施形態に係るグリップボトルのコンピュータグラフィックで表した側面図、背面図及び斜視図である。
【図１３】第４実施形態に係るグリップボトルの上部断面図である。
【図１４】第４実施形態に係るグリップボトルの下部断面図である。
【発明を実施するための形態】
【００１７】
以下、本発明の実施形態について図面を参照して説明する。図１は本発明の第１実施形態に係るグリップボトル１の背面図であり、図２はグリップボトル１の側面図であり、図３はグリップボトル１の正面図であり、図４はグリップボトル１のコンピュータグラフィックで表した側面図、背面図及び斜視図である。以下の説明において、図１上下に対応する方向を単に上下とし、この方向に直交する方向を左右とする。グリップボトル１は、ポリエチレンテレフタレート、ポリブチレンテレフタレート、ポリエチレンナフタレートなどの熱可塑性樹脂で２軸延伸ブロー成形などの成形法によって成形されたものである。グリップボトル１の層構造は限定するものではなく、単層構造以外に、内外層間の中間層にバリヤー層を挟んだ複数構造とすることができ、更には、複数の樹脂をブレンドしたもので単層、複層構造としたものであってもよい。
【００１８】
本実施形態のグリップボトル１は、上下全長：約４００mm、最大経：約１４０mmの大容量に構成されているものであり、キャップが装着される口部２と、この口部２から下方に向けて広がるショルダー部３と、このショルダー部３から略同径で下方へ向かって長く形成されて容器本体を構成する略円筒状の胴部４と、この胴部４の下側の底部５とで構成されている。
【００１９】
口部２は、上端から下端まで略同径に形成された円筒状の筒状体２ａに、雄ねじ２ｂやサポートリング２ｃなどが設けられて構成されており、当該口部２にキャップが装着されてグリップボトル１が密閉される。
【００２０】
ショルダー部３の周囲には、複数の平面状部６が周方向に連なって形成されており、グリップボトル１の意匠性を向上させている。各平面状部６は、軸芯を中心として４０°の角度をもって広がっており、直線で形成された左右両辺６ａと曲面で形成された上下に膨らむ上下両辺６ｂで構成されている。
【００２１】
ショルダー部３と胴部４との境目には、第１環状凹部７が形成されており、この第１環状凹部７がショルダー部３と胴部４とを区画している。また、胴部４とその下側の底部５との境目にも、同様の凹部として第２環状凹部８が形成されており、この第２環状凹部８が胴部４と底部５とを区画している。底部５の周囲は軸方向断面アール状となっており、設置面５ａの内側は内方へ窪んでいる。
【００２２】
本実施形態の胴部４は、内部に大容量の収容空間を有している。この胴部４は、正面側半体の正面部１０と、背面側半体の背面部１１とに大きく分けられており、図３のように正面部１０には、ラベルを添付するためにラベル領域１２が四方形状に形成されている。このラベル領域１２の表面１２ａは、胴部４の外面４ａと略面一となっており、当該ラベル領域１２の周囲には、当該ラベル領域１２と他の部分を区画する区画凹部１３が形成されている。この区画凹部１３の幅は、第１環状凹部７や第２環状凹部８の幅よりも広くなっている。ラベル領域１２は、グリップボトル１の半体である正面部１０に大きく広がって形成されており、当該グリップボトル１に、商品名などが表示されたラベルを添付するための広い領域が確保されている。図２のようにラベル領域１２を区画する区画凹部１３の下側部分が背面部１１の中途へ延びており意匠性を向上させている。
【００２３】
図１及び図４に示すように胴部４の背面部１１には、内方へ窪んだ同形状の第１、第２の胴凹部２０、２０が形成されており、これら２つの胴凹部２０、２０の一部と当該両胴凹部２０、２０間で外方へ張り出す張出部２１とで縦長のグリップ２２が構成されている。図５はグリップボトル１の図２Ａ−Ａ線断面図である。図２及び図５に示すように、各胴凹部２０は全体として、内方へ窪んでいるところから外方へ向かって外側へ広がように形成されており、最も深い部分である底部２６と、この底部２６の周囲に形成された内側面２７と、この内側面２７の外側に形成された外側面２８とで構成されている。
【００２４】
図６はグリップボトル１の図３Ｂ−Ｂ線断面図である。同図において、グリップ２２は左右対称に形成されている。底部２６は、軸方向に細長く内方へ向かう平断面湾曲状に形成されている。底部２６が内方へ向かう平断面湾曲状に形成されているので、指先を位置決めした状態でグリップ２２を握ることができる。図２のように、各胴凹部２０の内側面２７は、上下の上内側面３０、下内側面３１、及びラベル領域側の内内側面３２、張出部側の外内側面３３からなっている。各胴凹部２０の外側面２８は、上下の上外側面３５、下外側面３６、及びラベル領域側の内外側面３７、張出部側の外外側面３８からなっている。内側面２７、外側面２８は、共に外方へ向かうに従って外側へ広がるように形成されている。
【００２５】
図５に示すように、底部２６の周囲に形成された内側面２７の上内側面３０が、軸芯と直交する直交線ｇ（以下、直交線ｇ）となす角度θ１は３０°であり、下内側面３１が、直交線ｇとなす角度θ２は３８°となっている。このように、上内側面３０は、下内側面３１よりも急な角度で傾斜している。図６に示すように、底部２６の周囲に形成された内内側面３２が底部２６の湾曲頂部２６ａを通る中央線（以下、中央線ｘ）となす角度θ３は１５°であり、外内側面３３が中央線ｘとなす角度θ４は２５°となっている。このように、内内側面３２は、外内側面３３よりも急な角度で傾斜している。内内側面３２が中央線ｘとなす角度θ３は５°〜３０°が好ましく、外内側面３３が中央線ｘとなす角度θ４は５°〜３０°が好ましい。内内側面３２と外内側面３３がこの範囲の角度で傾斜していれば、グリップ２２の良好な握り易さを得ることができる。本実施形態では、上内側面３０が下内側面３１よりも急な角度で傾斜しているが、当該上内側面を下内側面よりも緩やかな角度で傾斜させてもよく、当該両内側面を同じ角度で傾斜させてもよい。
【００２６】
内側面２７の更に周囲に形成された外側面２８の上外側面３５、下外側面３６、及び内外側面３７は、それぞれ内側面２７の対応する上内側面３０、下内側面３１、及び内内側面３２によりも緩やかな角度で傾斜している。従って、各胴凹部２０は、底部２６から内側面２７で外側へ拡がり、続いて外側面２８で更に外側へ広がっており、当該底部２６から２段階で外側へ拡がり、胴部４の他の部分へ繋がっている。
【００２７】
図２に示すように、上内側面３０の上下幅は下内側面３１よりも狭く、内内側面３２の左右幅は外内側面３３よりも広い。また、上外側面３５と下外側面３６は互いに略同じ上下幅となっており、内外側面３７は上下に細長くなっている。
【００２８】
外側面２８の外外側面３８は、図４や図６から解るように各胴凹部２０の一部を構成するものの、機能的には内側面２７の外内側面３３と一体となって、グリップ２２の一部を構成している。つまり、外側面２８の外外側面３８と、内側面２７の外内側面３３とはそれぞれ一体となって、底部２６、内側面２７の上内側面３０、下内側面３１、内内側面３２、外側面２８の上外側面３５、下外側面３６、内外側面３７と区画された部分となっている。
【００２９】
内側面２７の上内側面３０、下内側面３１、内内側面３２は、外外側面３８及び外内側面３３と区画されていることから、側面視逆コの字状となっている。同様に、外側面２８の上外側面３５、下外側面３６、内外側面３７も、外外側面３８及び外内側面３３と区画されていることから、側面視逆コの字状となっている。
【００３０】
図６を参照して、グリップ２２は、平断面において容器本体である胴部４の半体域５０内（図６の上側の半体域）で構成されている。それと共に、第１、第２の胴凹部２０、２０の容器軸芯ｘ２側へ最接近した接近部５１が、その半体域５０内に存在している。図６には、容器軸芯ｘ２を中心とし、かつ両胴凹部２０、２０の接近部５１、５１に外接する仮想円Ｐ２が描かれている。本実施形態の胴部４の直径Ｄ２は１３７ｍｍであり、仮想円Ｐ２の直径Ｄ１は３７ｍｍである。従って、仮想円Ｐ２の直径Ｄ１は、胴部４の直径Ｄ２の２７％となっている。
【００３１】
上記の仮想円Ｐ２の直径Ｄ１は、胴部４の直径Ｄ２の２０％〜５０％であることが好ましく、より好ましくは３０％〜４０％である。仮想円Ｐ２の直径Ｄ１が、胴部４の直径Ｄ２の２０％を下回ると、両胴凹部２０、２０が胴部側へ入り込み過ぎてしまい、仮想円Ｐ２の直径Ｄ１が、胴部４の直径Ｄ２の５０％を上回ると、両胴凹部２０、２０が胴部側から離れ過ぎてしまうからである。
【００３２】
仮想円Ｐ２の直径Ｄ１が、胴部４の直径Ｄ２の２０％〜５０％とされていれば、第１、第２の胴凹部２０、２０が胴部側へ入り込み過ぎることがなく、当該両胴凹部２０、２０が胴部側から離れ過ぎることもない。第１、第２の胴凹部２０、２０が胴部側へ入り込み過ぎることがないことから、胴部４の平断面における収容面積が小さくならないため、高さを大きくする必要がない。第１、第２の胴凹部２０、２０が胴部側から離れ過ぎることもがないことから、グリップボトル１を持ったときに力をかけ易い。そのため、グリップボトル１を持ったときの安定感が向上し、持ち易くすることができる。
【００３３】
第１、第２の胴凹部２０、２０の容器軸芯ｘ２側へ最接近した接近部５１に関し、本実施形態のように、両胴凹部２０、２０が略Ｖ字状となっていれば、接近部５１は湾曲状の底部２６の容器軸芯ｘ２寄りの外方へ立ち上がる部分となる。例えば、各胴凹部が外方へ開いた略Ｕ字状となっていれば、平面状の底部の容器軸芯寄りの立ち上がる角部分となる。
【００３４】
図６のように、底部２６は湾曲状であり、この底部２６から外方へ向かって内内側面３２が直線状に延びると共に、外内側面３３が滑らかな曲線状に延びている。２つの胴凹部２０、２０の外外側面３８及び外内側面３３と、当該両胴凹部２０、２０間で外方へ張り出す張出部２１とでグリップ２２が構成されている。
【００３５】
本実施形態のグリップ２２は、図１に示すように上端２２ａから下端２２ｂまで同じ左右幅で形成されている。図６において、第１の胴凹部２０の底部２６の湾曲頂部２６ａから張出部２１を経て第２の胴凹部２０の底部２６の湾曲頂部２６ａまで（以下、湾曲頂部間範囲）とされるグリップ周りの仮想線で示す平断面周長Ｓは、本実施形態では１４８mmとなっている。グリップ周りの平断面周長Ｓは１００mm〜１９０mmの範囲であることが好ましく、１３０mm〜１６０ｍｍの範囲であることがより好ましい。
【００３６】
グリップ周りの平断面周長Ｓは、第１指の末節から第２指の末節、第１指の末節から第３指の末節、第１指の末節から他の指の末節に渡る握り寸法に沿ったものとなっている。グリップ２２が、第１指の末節から第２指の末節、第１指の末節から第３指の末節などに渡る握り寸法に沿ったものとなっていれば、グリップボトル１を持つときの握り易さが非常に良好なものとなり、指に過大な負担がかかることもなく、安定した状態で持つことができる。
【００３７】
グリップ周りの平断面周長Ｓが１９０mmを上回ると、良好に握れる握り寸法から外れたものとなり、指先が各胴凹部２０の底部２６まで周りきらずに握り難くなり、平断面周長Ｓが１００mmを下回ると、良好に握れる握り寸法から外れたものとなり、指先が各胴凹部２０の底部２６につかえる感じを生じさせるからである。
【００３８】
図６に示すように、グリップ２２の平断面における、第１の胴凹部側頂部ｃ１から第２の胴凹部側頂部ｃ２間の本実施形態におけるグリップ幅Ｔ（以下、グリップ幅Ｔ）は５４ｍｍとなっている。グリップ幅Ｔは４０mm〜８０mmの範囲となっていることが好ましい。ここでいうグリップ幅Ｔとは、グリップ２２の両側の最も外側にある頂部間を図１背面視において軸芯と直交する線で結んだ寸法のことである。グリップ幅Ｔのより好ましい範囲は５０mm〜６５mmである。グリップ幅Ｔが４０mmを下回ると、手をかける幅が狭すぎて安定して握れなくなり、グリップ幅Ｔが８０mmを上回ると、手をかける幅が広すぎて力を入れ難くなるからである。
【００３９】
更に、グリップ周りの平断面周長Ｓと、第１の胴凹部側頂部ｃ１から第２の胴凹部側頂部ｃ２間のグリップ幅Ｔとは、握り易さに関して互いに深く関係しており、特に、平断面周長Ｓとグリップ幅Ｔとを最適な組み合わせとすることで、両若男女を問わず、これまでになかった握り易さや、力のかけ易さ、持つ時の良好な安定感などを得ることができる。より具体的には、グリップ周りの平断面周長Ｓが１２０mm〜１３０mmに対して、グリップ幅Ｔが５０mm〜５５mmであり、グリップ周りの平断面周長Ｓが１４０mm〜１５０mmに対して、グリップ幅Ｔが５５mm〜６５mmである。これら両範囲の組み合わせによって、極めて良好な握り易さなどを得ることができる。
【００４０】
図６のように各胴凹部２０は胴部４の内方へ深く入り込んでいる。両胴凹部２０、２０の底部２６、２６間は狭くなっており、グリップ幅Ｔと、両胴凹部２０、２０の底部２６、２６間の平断面寸法ｄ１（ｄ）と、が次式を満たしている。
（ｄ１／Ｔ）＝０．０１〜０．５０
また、（ｄ１／Ｔ）のより好ましい範囲は、０．０１〜０．３０である。
【００４１】
グリップ幅Ｔと２つの胴凹部２０、２０の底部２６、２６間寸法ｄ１とが上記の式を満たしていれば、グリップ幅Ｔに対する２つの胴凹部２０、２０の深度が調整され、当該両胴凹部２０、２０が深く入り込むことになる。具体的には、両胴凹部２０、２０の底部２６、２６間の平断面寸法ｄ１は１mm〜４０mmであることが好ましい。グリップ幅Ｔを適切に調整すると共に、両胴凹部２０、２０の底部２６、２６間を狭くして当該両胴凹部２０、２０を深く入り込ませることは、握り易さの点から非常に重要である。グリップ２２を握ったときに第１指の末節と第２指の末節等とが近づくことや、グリップ２２を手全体で包み込むような状態となること等によって、グリップボトル１を持ったときの高い安定感を生じさせることができる。
【００４２】
本実施形態のグリップ２２は、複数の平断面Ｒ状部のみで構成されており、当該複数の平断面Ｒ状部のＲ寸法が５mm以上となっている。グリップ２２は図６からも解るように平断面で全体として滑らかな曲線で囲まれており、グリップ周りの全ての周面２３がＲ状となっている。周面２３は、最も外方にある中央Ｒ状部２３ａとその両側の側Ｒ状部２３ｂなどを有し、中央Ｒ状部の好ましいＲ寸法は５mm以上であり、側Ｒ状部の好ましいＲ寸法は５mm以上となっている。グリップ周りの周面２３の平断面Ｒ状の部分で、Ｒ寸法が５mmを下回る部分があると、握り難さを生じてしまうからである。
【００４３】
本実施形態では、全ての平断面Ｒ状部のＲ寸法が５mm以上となっているため、手を添えた時の感覚が良好となり、大容量のものであっても手が痛くならないようにすることができる。更に、丸棒を掴む間隔に近づき、手に伝わる感覚をより向上させることができる。
【００４４】
張出部２１の最も外方にある外面２１ａ（中央Ｒ状部２３ａ）に沿って描かれる円は、軸芯を中心として胴部４の外面４ａに沿って描かれる仮想円Ｐに略一致しており、当該仮想円Ｐ上に、当該外面２１ａが略重なっている。張出部２１がかかる平断面位置に形成されていることから、グリップ２２が平断面において最適な位置に存在することになり、グリップボトル１を持つ際の良好なバランス感を得ることができる。
【００４５】
上記本実施形態のグリップボトル１によれば、グリップ２２が、平断面において胴部４の半体域５０内で構成されていると共に、第１、第２の胴凹部２０、２０の容器軸芯ｘ２側へ最接近した接近部５１が、当該半体域５０内に存在しており、容器軸芯ｘ２を中心とし、かつ両胴凹部２０、２０の接近部５１に外接する仮想円Ｐ２の直径Ｄ１が、胴部４の直径Ｄ２の２０％〜５０％であるため、両胴凹部２０、２０が胴部側へ入り込み過ぎることがなく、当該両胴凹部２０、２０が胴部側から離れ過ぎることもない。第１、第２の胴凹部２０、２０が胴部側へ入り込み過ぎることがないことから、胴部４の平断面における収容面積が小さくならないため、高さを大きくする必要がない。第１、第２の胴凹部２０、２０が胴部側から離れ過ぎることもがないことから、グリップボトル１を持ったときに力をかけ易い。そのため、グリップボトル１を持ったときの安定感が向上し、持ち易くすることができる。
【００４６】
胴部４に内方へ窪む第１、第２の胴凹部２０、２０の一部と当該両胴凹部２０、２０間で外方へ張り出す張出部２１とで構成されたグリップ２２のグリップ周りの平断面周長Ｓが、１００mm〜１９０mmであることによって、グリップ２２が第１指の末節から第２指の末節、第１指の末節から第３指の末節などに渡る握り寸法に沿ったものとなる。従って、グリップボトル１を持つときの握り易さが非常に良好なものとなり、指に過大な負担がかかることもなく、安定した状態で持つことができる。
【００４７】
グリップ幅Ｔを適切に調整すると共に、両胴凹部２０、２０の底部２６、２６間を狭くして当該両胴凹部２０、２０を深く入り込ませているので、グリップ２２を握ったときに第１指の末節と第２指の末節などが近づき、グリップ２２を手全体で包み込むような状態となる。これにより、握り易さがさらに良好なものとなり、指に過大な負担がかからず、グリップボトル１を持ったときの高い安定感を生じさせることができる。
【００４８】
グリップ２２の平断面におけるグリップ幅Ｔが４０mm〜８０mmであることによって、グリップを握った際に、第１、第２の胴凹部へ指を確実に回し込むことができる。これにより、力をかけ易くなり、グリップボトルを持つ際の安定感をより高めることができる。
【００４９】
以下、本発明にかかる他の実施形態について例示して説明する。図７は本発明の第２実施形態に係るグリップボトル４００のコンピュータグラフィックで表した側面図、背面図及び斜視図であり、図８は本実施形態に係るグリップボトル４００の断面図である。本実施形態のグリップ周りの平断面周長Ｓは１２４mmであり、グリップ幅Ｔは５４mmであり、底部間の平断面寸法ｄ１は１６mmである。このグリップボトル４００では、底部４０１が略平断面に形成され、グリップ４０２が、一方の底部４０１の張出側端部から張出部４０３を経て他方の底部４０１の張出側端部までの範囲（以下、張出側端部間範囲）で構成されている。本実施形態の胴部４０４の直径Ｄ２は１３７mmであり、仮想円Ｐ２の直径Ｄ１は５１ｍｍである。従って、仮想円Ｐ２の直径Ｄ１は、胴部の直径Ｄ２の３７％となっており、グリップボトルを持ったときの安定感が向上し、持ち易くなっている。
【００５０】
図９は本発明の第３実施形態に係るグリップボトル４１０のコンピュータグラフィックで表した側面図、背面図及び斜視図であり、図１０は本実施形態に係るグリップボトル４１０の上部断面図であり、図１１は本実施形態に係るグリップボトル４１０の下部断面図である。本実施形態のグリップ上部のグリップ周りの平断面周長Ｓは１４９mmであり、グリップ幅Ｔは６１mmであり、底部４１１間の平断面寸法ｄ１は１６mmとなっており、グリップ下部のグリップ周りの平断面周長Ｓは１３６mmであり、グリップ幅Ｔは５３mmであり、底部４１１間の平断面寸法ｄ１は１６mmとなっている。このグリップボトル４１０では、底部４１１が湾曲状に形成され、グリップ４１２が湾曲頂部間範囲で構成されている。
【００５１】
胴部４１３の直径Ｄ２は１３７mmであり、グリップボトル４１０の上部、下部共に、仮想円Ｐ２の直径Ｄ１は３６mmである。従って、仮想円Ｐ２の直径Ｄ１は、胴部の直径Ｄ２の２６％となっており、グリップボトルを持ったときの安定感が向上し、持ち易くなっている。グリップ４１２の下端部は、軸方向下方に向かってなだらかに広がる形状となっている。グリップ４１２が軸方向下側に向かうに従って幅狭となっており、グリップ幅Ｔが軸方向下側へ向かうに従って減少している。このような形状のグリップ４１２を採用すれば、グリップボトル４１０を持ち上げる際に、手の滑りが抑えられて力をかけ易くなる。グリップ４１２の下端部が、軸方向下方に向かってなだらかに広がる形状となっており、握った際の手に伝わる感覚が良好となる。
【００５２】
グリップ形状の他の例として、グリップを軸方向上側に向かうに従って幅狭として、グリップ幅Ｔを軸方向上側へ向かうに従って減少させてもよい。このような形状のグリップを採用すれば、グリップボトルを持ち上げる際に、グリップの上部に指を回し込み易くなる。これにより、例えばグリップボトルを手で完全に保持するのではなく、指を掛けてぶら下げるような半持ち状態にし易くなる。さらに、グリップを軸方向中央に向かうに従って幅狭として、グリップ幅Ｔを軸方向中央へ向かうに従って減少させてもよい。このような形状のグリップを採用すれば、グリップの中央部に指を回し込み易くなり、グリップに対する手の軸方向へのずれを防ぐことができる。
【００５３】
図１２は本発明の第４実施形態に係るグリップボトル４２０のコンピュータグラフィックで表した側面図、背面図及び斜視図であり、図１３は本実施形態に係るグリップボトル４２０の上部断面図であり、図１４は本実施形態に係るグリップボトル４２０の下部断面図である。本実施形態のグリップ上部のグリップ周りの平断面周長Ｓは１４９mmであり、グリップ幅Ｔは６１mmであり、底部４２１間の平断面寸法ｄ１は１０mmとなっており、グリップ下部のグリップ周りの平断面周長Ｓは１３４mmであり、グリップ幅Ｔは５２mmであり、底部４２１間の平断面寸法ｄ１は１０mmとなっている。底部４２１が略平断面に形成され、グリップ４２２が張出側端部間範囲で構成されている。
【００５４】
胴部４２３の直径Ｄ２は１３７mmであり、グリップボトル４２０の上部、下部共に、仮想円Ｐ２の直径Ｄ１は３６ｍｍである。従って、仮想円Ｐ２の直径Ｄ１は、胴部の直径Ｄ２の２６％となっており、グリップボトルを持ったときの安定感が向上し、持ち易くなっている。
【００５５】
上記で開示した各実施形態のグリップボトルは、本発明を例示したものであり、口部、胴部、底部の形状、寸法、構成する樹脂、成形方法等は適宜変更されるものである。グリップ形状を軸方向に沿って波打ち状にしてもよい。この場合には、グリップを握ったときのそれぞれの指のずれが無くなり、それぞれの指にグリップボトルの荷重を直接掛けることができ、グリップボトルを持ったときの感触を変えることができる。グリップの張出部や、第１、第２の胴凹部の所要箇所にリブを形成してもよい。具体的には、グリップの張出部に、軸方向と直交方向に沿って数本のリブを形成すること等が挙げられる。胴部の形状や容量、或いは消費者の年齢、性別などに対応させて、グリップ周りの平断面周長Ｓ、グリップ幅Ｔ、グリップの形状など変更すればよい。
【符号の説明】
【００５６】
１    グリップボトル
２    口部
４    胴部
５    底面
１０  正面部
１１  背面部
２０  各胴凹部
２１  張出部
２２  グリップ
２３  周面
２３ａ  中央Ｒ状部
２３ｂ  側Ｒ状部
２６  底部
２６ａ  湾曲頂部
２７  内側面
２８  外側面
３０  上内側面
３１  下内側面
３２  内内側面
３３  外内側面
３５  上外側面
３６  下外側面
３７  内外側面
３８  外外側面
Ｓ    平断面周長
Ｔ    グリップ幅
ｃ１  第１の胴凹部側頂部
ｃ２  第２の胴凹部側頂部
ｄ１  平断面寸法
５０  半体域
５１  接近部
ｘ２  容器軸芯
Ｐ    仮想円
Ｐ２  仮想円
Ｄ１  仮想円の直径 
Ｄ２  胴部の直径
【図１】
2014019466.tif 000003
【図２】
2014019466.tif 000004
【図３】
2014019466.tif 000005
【図５】
2014019466.tif 000006
【図６】
2014019466.tif 000007
【図８】
2014019466.tif 000008
【図１０】
2014019466.tif 000009
【図１１】
2014019466.tif 000010
【図１３】
2014019466.tif 000011
【図１４】
2014019466.tif 000012
【図４】
2014019466.tif 000013
【図７】
2014019466.tif 000014
【図９】
2014019466.tif 000015
【図１２】
2014019466.tif 000016